(57)【要約】      （修正有）【課題】収納性、軽量性、耐久性、組み立て容易性、使用時の快適性・強靭性、衛生面での配慮、使用後不要になった場合の処分性など多くのニーズに適切に対応し、不特定多数の人が何ら違和感無く快適に使用できるポータブル簡易トイレを提供する。【解決手段】ポータブルトイレは、主要構成部材が強化段ボールにより構成されるポータブル簡易トイレにおいて、長方形の強化段ボールをＵ字形状に曲げて構成される前面主要胴部１１と、前記長方形の長手方向の両端部で勘合する後部壁面１４と、前記前面主要胴部１１と勘合する便座固定部１５と、該便座固定部１５に勘合するよう構成された便座下部１３および便座上部１２と、から成ることを特徴とする。【選択図】図３
0003180879.tif 000002
【実用新案登録請求の範囲】
【請求項１】
主要構成部材が強化段ボールにより構成されるポータブル簡易トイレにおいて、長方形の強化段ボールをＵ字形状に曲げて構成される前面主要胴部と、前記長方形の長手方向の両端部で勘合する後部壁面と、前記前面部と勘合する便座固定部と、該便座固定部に勘合するよう構成された便座下部および便座上部と、から成ることを特徴とするトイレ。
【請求項２】
上記後部壁面の中間部で勘合し、排泄物を支えるための支持部と該支持部を補強し上記Ｕ字状に曲げられた主要胴部を固定する補強部材を備えていることを特徴とする実用新案請求の範囲第１項記載の簡易トイレ。
【請求項３】
上記便座上部は、着脱可能に構成されていることを特徴とする実用新案請求の範囲第１項記載の簡易トイレ。
【考案の詳細な説明】
【技術分野】
【０００１】  本考案は軽量で簡便に持ち運び、運搬が可能であって、利用時に瞬時に組み立てられ、かつ災害時等の利用時に安定して利用できる組み立て式ポータブルトイレに関するものである。
【背景技術】
【０００２】  地震、火災などの災害時や野外活動などにポータブルトイレの設置や準備が求められている。特に震災用に常備品として備えるにはコンパクトで軽量かつ使用時の利便性に優れたポータブルトイレが望まれている。従来、これらのポータブルトイレにおいては、軽量であること、組み立てが簡便であること、設置・廃棄処理が簡単に可能なこと、耐水性があること、汚物処理が簡便であること、また不特定多数が使用するため衛生面の配慮がされていることなど多くの要素を満足する必要あり、これらの要素を適切に満足し、安価なコストで提供するのには多くの工夫が求められている。【０００３】  この種のポータブルトイレとして、多くの提案がなされていて、それぞれが工夫をこらし特徴あるものとなっている。特に昨今、地震などの災害時用、避難生活用として注目されるようになってからは、常備用としての収納時のコンパクト性、軽量性と共に使用時の組み立て容易性や廃棄処理が簡単にできるこが要件とされている。【０００４】  実用新案登録第３０５７７５３号においては、折り畳み可能な合成樹脂のプレート板に折り曲げ用の溝を複数形成し、使用時に立体的に筒状に主要胴部を形成し、従来の便座と組み合わせて構成する利用するポータブルトイレが提案されている。
また、実用新案登録第３１２３２３８号や特開平１１−５６６７９号に開示された簡易トイレにおいては、便座部やそれを支える主要胴部が段ボールなどの紙材により形成されているため軽量で収納性に優れたものとなっている。【０００５】  これらのポータブルトイレの機能として要求される、軽量で、小型化して収納・保管が簡単に出来て、かつ組み立てが誰にでも可能であり、使用時の衛生面に十分配慮し、かつ汚物処理が容易に行え、さらに使用時の違和感が無く、使用時の耐久性に耐え、かつ低コストで作成できる組み立て式簡易ポータブルトイレが求められていた。
【先行技術文献】
【特許文献】
【０００６】
【特許文献１】実用新案登録第３０５７７５３号
【特許文献２】実用新案登録第３１２３２３８号
【特許文献３】特開平１１−５６６７９号
【考案の概要】
【考案が解決しようとする課題】
【０００７】  上述したようなポータブルトイレにおいては、いずれも使用時に体重を支える主要胴部分が複数の板（紙版や樹脂板）の組合せか、一枚の板に溝や切込みを入れ折り曲げて使用している。複数の板の組合せの場合、それぞれの長方形の板を蝶番でつなぎ合わせるか、嵌合により立方体の筒状の主要胴部を形成する。また、一枚の板の場合、溝や切込みに沿って折り曲げほぼ立方体の主要胴部を形成する。【０００８】  これらの提案においては主要胴部が折り畳めるためコンパクトに収納可能であるが、主要胴部が折り畳んで収納できるように折り目があったり、また、組み立て用に溝を形成しているため、使用時に人が動くことにより立方体を形成する角部分である折り目や溝部に最も多くの負荷がかかり変形などによる不安定性が生じる。特に、災害備蓄用ポータブルトイレにおいては長期間に亘って折りたたんだままで保管することもあり、使用回数が増加するとこれらの溝や折り目から亀裂や変形により傾いたりしてしまう欠陥があった。【０００９】  また、災害時避難所などにおいて使用する場合は不特定多数の人が使用するためより衛生面に配慮したものが求められる。特に、便座には多くの人が直接座るため便座シートを利用したり、消毒清掃することもあったが、避難所などではこれらの対応が困難な場合が多い。そのためこれらに配慮したより衛生的なポータブルトイレが必要であった。【００１０】  このような収納性、軽量性、耐久性、組み立て容易性、使用時の快適性・強靭性、衛生面での配慮、使用後不要になった場合の処分性など多くのニーズに適切に対応し、不特定多数の人が何ら違和感無く快適に使用できるポータブル簡易トイレを提供するものである。
【課題を解決するための手段】
【００１１】本考案に係るポータブルトイレは、主要構成部材が強化段ボールにより構成されるポータブル簡易トイレにおいて、長方形の強化段ボールをＵ字形状に曲げて構成される前面主要胴部と、前記長方形の長手方向の両端部で勘合する後部壁面と、前記前面部と勘合する便座固定部と、該便座固定部に勘合するよう構成された便座下部および便座上部と、から成ることを特徴とする。【００１２】  また、上記ポータブル簡易トイレは、上記後部壁面の中間部で勘合し、排泄物を支えるための支持部と該支持部を補強し上記Ｕ字状に曲げられた主要胴部を固定する補強部材を備えていることを特徴とする。【００１３】  さらに、上記ポータブル簡易トイレは、上記便座上部は、着脱可能に構成されていることを特徴とする。
【考案の効果】
【００１４】  請求項１記載の考案によれば、前面主要胴部、後部壁面、便座などの主要構成部材が強化段ボールにより構成されており、かつ前面主要胴部が長方形の強化段ボールをＵ字形状に曲げて構成され、それらの主要構成部材が嵌合により組み立てられる。そのため、蝶番、金具などの留め具が使用されておらず簡単に組み立て可能となる上に使用後は焼却処分が可能となる。また、前面主要胴部と後部壁面との嵌合により土台となる胴部が構成されるため、主要胴部を形成するのに、溝や折り目が無く、長時間備蓄した後に組み立てて使用しても溝や折り目に負荷がかかって破壊されたり切れ目が出来たりすることが回避でき、安定的に使用することが可能となる。【００１５】  請求項２記載の考案によれば、請求項１に記載するポータブルトイレにおいて、上記後部壁面の中間部で勘合し、排泄物を支えるための支持部と該支持部を補強し上記Ｕ字状に曲げられた主要胴部を固定する補強部材を備えている。そのため、少ない部品点数で安定的に使用可能となるポータブル簡易トイレを提供することができる。【００１６】  請求項３記載の考案によれば、請求項１に記載するポータブルトイレにおいて、上記便座上部は、着脱可能に構成されている。そのため、便座上部だけを複数準備しておけば不特定多数の人がそれぞれ自分用の便座を所持し、衛生的に使用することができる。また、老若男女、大人・子供などの大きさに合わせた便座を用意しておけばそれぞれが快適に使用することもできるポータブル簡易トイレを提供することができる。【００１７】  従って、本考案の簡易トイレは、多くの部材が強化段ボールを使用し、部品点数が少なく構成されるため、コンパクトに収納され、軽量で持ち運びに便利であり、嵌合により特別な工具を必要とせず容易に組み立てることが可能であるため、震災時などのポータブル簡易トイレとして利便性が高く、使用後も焼却処分により簡単に廃棄処分できる。更に、組み立てる際、前面主要胴部が折り目や溝がない一枚のダンボールによりＵ字状に折り曲げて形成されるため、より堅牢な形状となるだけでなく、様式トイレの形状となるため違和感の無いトイレを提供することができる。
【図面の簡単な説明】
【００１８】
【図１】本考案によるポータブル簡易トイレの部品形状
【図２】本考案によるポータブル簡易トイレに使用される強化段ボールの断面図
【図３】本考案によるポータブル簡易トイレの組み立てを示す図である。
【考案を実施するための形態】
【００１９】  本考案は、震災時や野外活動で使用されることを目的として、出来るだけ少ない部品点数でありながら堅牢で、衛生的かつ使用時に違和感のないデザイン性も考慮したポータブル簡易トイレで、以下に本考案の実施例を図面に基づき説明する。
【００２０】  図１は、本考案によるポータブル簡易トイレの部品形状である。構成部品は前面主要胴部１１、上部便座１２、下部便座１３、後面壁部１４、便座固定部材１５、下部支柱１６、排泄物支持部１７の７点で構成されている。組み立ては部品同志で嵌合により組み立てられる。これらの部品は多層強化段ボールを素材として形成されており、実施例においては３層段ボールを使用した場合、すべての部品は厚さが約１５ｍｍの同一素材で形成されており、全部品重量は約１．２キログラムとなっている。収納時はこれらの部品を縦×横×厚＝５２０×３９０×７５ｍｍの大きさのコンパクトな収納箱に納めて保管することができる。
【００２１】  収納時において全面主要胴部１１は一枚の長方形板として保管収納されており、折り曲げて保管されることはない。その他の部品も折り曲げて保管されることはなく、これら部品状態で長期間保管しても折り曲げによる皺や折り畳みによる曲げ癖などがつくことはない。
【００２２】  この強化段ボール部材は加工が容易であり、通常のスリッター裁断機やＰＣ（パーソナルコンピュータ）制御による裁断やのこぎりカッターにより高精度の裁断、加工が可能である。
【００２３】  前面主要胴部１１の両端には嵌合用の長方形穴１８、１９がそれぞれ形成されており、後面壁部１４の突出当接片２０、２１と嵌め合わせるようになっている。また、上部便座１２と下部便座１３には両方の便座を後部壁部１４の上部当接部２６に嵌合し、固定するための嵌合穴２２、２３がそれぞれ形成されている。また、後面壁部１４には下方に排泄物支持部１７の突出片２８に嵌合させるための穴２７が形成されている。
【００２４】  図２は、本考案のポータブルトイレに使用される素材である多層強化段ボールの断面図を示す。本考案での実施例としての素材としては強化段ボールを使用している。この強化段ボールは１層でも２層でもまた３層以上の多層化強化段ボールでも可能であるが、両面段ボールを複数合わせた多数面段ボールが望ましい。好ましくは三層強化段ボールと称される重量物運搬用にも用いられる素材がより適切である。三層段ボールによる実施例では１ｍ角の立方体で組んだ場合の垂直方向耐加重は約３トンもあり、本考案でのポータブル簡易トイレとしての負荷に十分耐え得ることが検証されている。
【００２５】  かかる素材の表面は撥水、防湿処理を施したものを使用する。この三層強化段ボールは図２に示すように波状中芯部４１（４１ａ、４１ｂ、４１ｃ）が平板ライナー部４２（４２ａ、４２ｂ、４２ｃ）で挟まれた形状となっている。表面および裏面は撥水処理、防湿処理、汚れ防止処理としてフッ素樹脂などによるコーティングを施したコーティング面４３（４３ａ、４３ｂ）から成っている。
【００２６】  図３は、本考案によるポータブル簡易トイレの組み立てを示す図である。まず、後面壁部１４の下部に設けられた嵌合穴２７と排泄物支持部１７の突出片２８とを嵌合させる（図３のａ）。
【００２７】  次に、前面主要胴部１１をＵ字状に折り曲げる。このＵ字状に折り曲げるには前面主要胴部１１の中間部にスリットを予め形成しておくか、折り曲げる際に三層段ボールの簡易トイレ内面から外面に向かって段ボール中芯を押しつぶすように数本の線をいれることで容易に曲げることができる。Ｕ字状に折り曲げた主要胴部１１の嵌合用穴１８、１９と前期図１の１で組み立てた後面壁部１４の突出当接片２０、２１とをそれぞれ嵌合する。この状態で後面壁部１４の主要胴部１１の上部より上部突出部２６が突出している（図３のｂ）。
【００２８】  次に、後面壁部１４に沿って便座固定部材１５を取り付ける。この便座固定部材１５は主要胴部１１と後面壁部１４との嵌め合わせをより強固にすると共に下部便座１３を安定に保持する役割である。便座固定部材１５を取り付けた上部に下部便座１３を後面壁部１４の上部突出部２６に嵌合する（図３のｃ）。この下部便座１３と後面壁部１４の上部突出部２６との嵌め合わせは強固となるよう精密に作られている。
【００２９】  次に、主要胴部１１の下部の切込み２９に下部支柱１６の突出部３１を嵌合する。下部支柱１６を嵌合することで、前面主要胴部の組み立て構造体を安定化し、排泄物支持部１７が支えられる（図３のｄ）。
【００３０】  次に、ビニール袋などの排泄物処理袋３４を下部便座１３と上部便座１２との間に挟みこみ、上部便座１２を後面壁部１４の上部突出部２６に嵌合する（図３のｅ）。前述のごとく下部便座１３は、突出部２６と強固に嵌合するが、上部便座１２は常に取り外しができるよう上部突出部２６と嵌合する。
【００３１】  図３の（ｆ）は、上部便座１２を組み立てたポータブル簡易トイレの完成図である。組み立てにおいては、ネジ、釘などの留め具を一切使用しておらず、何ら工具を必要とせず、震災時や野外活動において誰でも簡便に組み立てることができる。場合によっては、焼却に支障の生じない接着剤を使用することもできる。
【００３２】  上部便座１２は、取り外しが可能となるよう構成されているため、使用時には下部便座１３の上にビニールなどの汚物処理袋３４を設置しその上に上部便座を取り付けて使用する。また、上部便座１２が取り外し可能であるために、各人が自分のサイズに合った便座を利用することができる。保管、備蓄する簡易トイレセットには、上部便座だけを複数個常備して各自で専用の便座として利用する。このことは使用後便座を消毒したり、便座シートを使用する必要がなく不特定多数の利用者が極めて衛生的に簡易トイレを使用することができるものである。使用に際しては都度ビニール袋などを下部便座１３と上部便座１２との間に挟んで使用する
【００３３】  上述したごとく、本考案のポータブル簡易トイレは少ない部品点数により、すべての部材が強化段ボールにより構成されているため、軽量で、加工し易く、コンパクトに保存することが可能となる。さらに保管においても部材を折り畳んで保管することはなく、折り目や折り曲げ癖がつくこともなく、前面主要胴部が一枚の段ボール状態のまま保管されるため、長期間保管、備蓄されたとしても、折り畳みによる折り目や切れ目から破損するようなことは生じない。さらに、本考案の簡易トイレは全て段ボール素材により構成されているため、不要になった場合、焼却処分ができるなど容易に廃棄することが可能である。
【００３４】  また、従来の簡易トイレの多くが箱状のものであるのに対し、本考案の簡易トイレは様式トイレに近い形状であり、外見上でも違和感なく安心して使用できるなどの心理的効果も有している。
【００３５】  また、他の利用法として、下部支柱１６および排泄物支持部１７とを取り外して和式トイレ上に置いて使用することもできる。このことはしゃがんで使用する和式トイレが使用困難な身体障害者、高齢者などに様式トイレとして使用することを可能にしており、介護用トイレとしても利用することができるなど多くの利便性の高い使い道を提供する。
【産業上の利用可能性】
【００３６】  本考案のポータブル簡易トイレによれば、震災時や野外活動などのトイレとして常備し、長期保存にも耐え、使用時に簡単に組み立てて利用できるなど極めて産業上の利用価値の高いものである。
【符号の説明】
【００３７】  １１  主要胴部
１２  上部便座
１３  下部便座
１４  後部壁部
１５  便座固定部
１６  下部支柱
１７  排泄物支持部
３４  汚物処理袋
４１  波状中芯部
４２  平板ライナー部
４３  コーティング面
【図１】
0003180879.tif 000003
【図２】
0003180879.tif 000004
【図３】
0003180879.tif 000005